(57)【要約】【課題】記録媒体の容量不足状態での予約録画設定時において、ユーザに対する予約録画とムーブ予約とが連動する一連の動作が従来は考慮されていないために、ユーザによる操作が非常に煩雑であり、確実に録画予約をすることは極めて困難である。【解決手段】録画予約した任意のコンテンツのテレビ放送信号の記録に要する容量分の空き容量がＨＤに存在しない容量不足の時には、ＣＰＵ１３は表示部１７にＨＤに記録されている記録済みのコンテンツの一覧を示すムーブ選択リストを表示し、これによりユーザが選択した記録済みのコンテンツの記録分の容量を録画予約に必要なＨＤの容量から差し引いた容量の目標値（容量の換算時間）を表示する。ユーザはその目標値が０となるように、ムーブする記録済みのコンテンツを選択する。これにより、ユーザは計算することなく、従来に比べて簡単な操作でムーブ予約して、予約録画を確実に行うことができる。【選択図】図１
2007318267.tif 000002
【特許請求の範囲】
【請求項１】
テレビ放送信号を受信する受信手段と、前記受信手段により受信したテレビ放送信号を指定したビットレートの符号化信号に変換して第１の記録媒体に記録する記録手段と、前記第１の記録媒体に記録された符号化信号を再生して第２の記録媒体に複写記録するダビング手段と、将来放送され、かつ、前記受信手段により受信される任意のコンテンツのテレビ放送信号の前記第１の記録媒体への録画を予約し、その予約情報を記憶する録画予約設定手段と、前記予約情報に基づき、録画予約された任意のコンテンツのテレビ放送信号の放送時間、前記受信手段により前記テレビ放送信号を選局受信させるタイマ手段とを備えた予約録画装置において、
前記録画予約設定手段による録画予約設定時に、録画予約した任意のコンテンツのテレビ放送信号の記録に要する容量分の空き容量が前記第１の記録媒体に存在するかを判定すると共に、前記第２の記録媒体の空き容量を測定する容量判定・測定手段と、
前記容量判定・測定手段により前記第１の記録媒体に前記空き容量が存在しない容量不足と判定したときは、前記第１の記録媒体に記録されている記録済みの任意のコンテンツの符号化信号を復号した後、その復号信号を前記第２の記録媒体の空き容量内で記録できるビットレートで再度符号化して再符号化信号を生成する再エンコード手段と、
前記再符号化信号又は前記第１の記録媒体から再生した任意のコンテンツの符号化信号を前記ダビング手段により前記第２の記録媒体に複写記録すると共に、前記第２の記録媒体に複写記録された前記任意のコンテンツの符号化信号を前記第１の記録媒体から削除する記録及び削除手段と、
前記録画予約設定手段により設定された録画予約の実行前に、前記再エンコード手段及び前記記録及び削除手段による動作を実行するムーブ予約を、前記録画予約設定手段による録画予約の設定と同時に関連付けて設定する予約設定手段と、
前記録画予約した任意のコンテンツのテレビ放送信号を前記第１の記録媒体に記録するために必要な容量に対応する時間と、ムーブ予約で選択した該第１の記録媒体に記録済みの任意のコンテンツのテレビ放送信号の容量に対応した時間との差を目標値として算出し、その目標値を前記容量判定・測定手段により前記第１の記録媒体に前記空き容量が存在しない容量不足と判定した時の判定結果と共に表示する目標値算出及び表示手段と
を有することを特徴とする予約録画装置。
【請求項２】
テレビ放送信号を受信する受信手段と、前記受信手段により受信したテレビ放送信号を指定したビットレートの符号化信号に変換して第１の記録媒体に記録する記録手段と、前記第１の記録媒体に記録された符号化信号を再生して第２の記録媒体に複写記録する第１のダビング手段と、将来放送され、かつ、前記受信手段により受信される任意のコンテンツのテレビ放送信号の前記第１の記録媒体への録画を予約し、その予約情報を記憶する録画予約設定手段と、前記予約情報に基づき、録画予約された任意のコンテンツのテレビ放送信号の放送時間、前記受信手段により前記テレビ放送信号を選局受信させるタイマ手段とを備えた予約録画装置において、
前記録画予約設定手段による録画予約設定時に、録画予約した任意のコンテンツのテレビ放送信号の記録に要する容量分の空き容量が前記第１の記録媒体に存在するかを判定すると共に、前記第２の記録媒体の空き容量を測定する容量判定・測定手段と、
前記容量判定・測定手段により前記第１の記録媒体に前記録画予約した任意のコンテンツのテレビ放送信号の記録に要する容量分の空き容量が存在しない容量不足と判定したときは、前記第１の記録媒体に記録されている記録済みの任意のコンテンツの符号化信号を復号した後、その復号信号を前記第１の記録媒体の記録時よりも低ビットレートで再度符号化して再符号化信号を生成する再エンコード手段と、
前記再符号化信号を前記第１の記録媒体に上書きで複写記録する第２のダビング手段と、
前記録画予約設定手段により設定された録画予約の実行前に、前記再エンコード手段及び前記第２のダビング手段による動作を実行するムーブ予約を、前記録画予約設定手段による録画予約の設定と同時に関連付けて設定する予約設定手段と、
前記録画予約した任意のコンテンツのテレビ放送信号を前記第１の記録媒体に記録するために必要な容量に対応する第１の時間と、ムーブ予約で選択した該第１の記録媒体に記録済みの任意のコンテンツの記録容量と前記再符号化信号の記録容量との差に対応した第２の時間との差を目標値として算出し、その目標値を前記容量判定・測定手段により前記第１の記録媒体に前記空き容量が存在しない容量不足と判定した時の判定結果と共に表示する目標値算出及び表示手段と
を有することを特徴とする予約録画装置。
【発明の詳細な説明】
【技術分野】
【０００１】
本発明は予約録画装置に係り、特にハードディスク（以下、ＨＤと称する）やディジタル多用途ディスク（ＤＶＤ；Digital Versatile Disk)等の記録媒体を用いて、テレビ放送番組等を予約録画する予約録画装置に関する。
【背景技術】
【０００２】
従来、ＨＤやＤＶＤを使用してテレビ放送番組を録画可能な装置において、録画処理の実行時間とダビングの実行時間とが重複して予約されている場合に、録画処理の実行時間に対応してダビング実行の予約時間を変更するようにした記録再生装置（予約録画装置）が知られている（例えば、特許文献１参照）。この記録再生装置によれば、空いた時間を利用してダビングを効率的に行うことができる。
【０００３】
しかしながら、上記の特許文献１記載の記録再生装置では、記録媒体であるＨＤやＤＶＤの容量不足状態での予約録画設定時において、ユーザに対する予約録画とダビング予約が連動する一連の動作が考慮されていない。
【０００４】
一般に、記録媒体の容量不足の時に予約録画を実行する場合、ダビング予約と消去を一連の動作としたムーブ予約と組み合わせて、録画予約した録画開始までに容量を確保する必要がある。従来、例えばＨＤの記録容量不足状態での録画予約設定のためには、ＨＤに既に記録（録画）されている一又は二以上のコンテンツの削除が必要だが、見終わっていないコンテンツは退避のために他の記録媒体へダビングしてからＨＤから削除する、いわゆるムーブをすることになる。しかし、ムーブに時間がかかるため、直ちにムーブを実行したくても既に装置が録画中であったり、ムーブ中に開始する録画予約があるためムーブを実行できない場合がある。
【０００５】
そこで、容量不足時における録画予約とムーブ予約を組み合わせた場合は、例えば図１６に示すフローチャートで録画予約を実行することとなる。同図において、新規録画予約を設定すると（ステップＳ１０１）、録画予約したコンテンツを録画する記録媒体（例えば、ＨＤ）に予約録画開始時点にそのコンテンツを録画できる容量が確保されている保証がある場合（ステップＳ１０２でＮ）はそのまま録画予約が完了し、録画予約を設定した時刻になると（ステップＳ１０７）、録画予約したコンテンツの録画を実行する（ステップＳ１０８）。
【０００６】
しかし、現在のままでは録画予約したコンテンツを録画するＨＤの容量が不足しているために、ＨＤに対して予約録画が実行できないと判断した場合（ステップＳ１０２でＹ）は、予約録画しようとしているＨＤに既に記録されている番組リストを示すムーブ予約設定画面を表示し（ステップＳ１０３）、その番組リストの中からムーブするコンテンツ（番組）を選択すると共に、ムーブする時刻を設定してムーブ予約を完了する（ステップＳ１０４）。
【０００７】
その後、ムーブ予約の設定時刻になると（ステップＳ１０５）、選択したコンテンツ（番組）が他の記録媒体（例えばＤＶＤ）へダビングされると共に、ＨＤから消去されるムーブが実行される（ステップＳ１０６）。この結果、ＨＤの録画できる容量が確保され、録画予約を設定した時刻になると（ステップＳ１０７）、録画を実行して（ステップＳ１０８）終了する。
【０００８】
また、容量不足時における録画予約とムーブ予約を組み合わせた別の例として、図１７のフローチャートに従った予約録画を行うことも考えられる。同図において、新規録画予約を設定すると（ステップＳ２０１）、その新規録画予約したコンテンツを録画するＨＤに予約録画開始時点に録画できる容量が確保されている保証がある場合（ステップＳ２０２でＮ）はそのまま予約（この場合、録画予約）が完了し（ステップＳ２１０）、録画予約を設定した時刻になると、録画を実行して（ステップＳ２１１）、処理を終了する（ステップＳ２１２）。
【０００９】
しかし、将来的に予約録画を実行する時点において現在のままではＨＤの容量が不足しており、ＨＤに対して所望の番組の予約録画の実行ができないと装置が判断した場合は、例えば「ＨＤ容量が足りないため予約録画を実行できません」などのメッセージを画面に表示し、このままでは予約録画が実行できないことを告知する（ステップＳ２０２でＹ）。
【００１０】
そこで、ユーザはどのモードで何分足りないかを記憶（ステップＳ２０３）したうえで図示しない初期画面（ステップＳ２０４）に戻り、装置により予約録画しようとしているＨＤに既に記録されている番組リストを示す図１９（ａ）に示すようなムーブ予約設定画面を表示させる（ステップＳ２０５）。表示された番組リストの中からムーブしようとするコンテンツ（番組）を選択し（ステップＳ２０６）、目標としている容量分のコンテンツを選択したかユーザ自身が計算をして、まだ目標としている容量分に足りない場合（ステップＳ２０７でＮ）は、ムーブしようとするコンテンツ選択を繰り返す。図１９（ｂ）は「サッカーＪ」を選択した場合のムーブ選択リストの一例を示す。
【００１１】
目標としている容量分のムーブしようとするコンテンツの選択ができたら（ステップＳ２０７でＹ）、図１９（ｃ）に示す画面でユーザがムーブ開始時刻又は終了時刻を設定し（ステップＳ２０８）、目的の時間までにムーブが終了することを確認して（ステップＳ２０９でＹ）、予約（この場合、ムーブ予約と録画予約）を完了し（ステップＳ２１０）、その後に各予約実行動作（ステップＳ２１１）を行って終了する（ステップＳ２１２）。
【００１２】
しかし、予約録画開始時刻までにムーブが終了しない場合は、装置が画面に図１９（ｄ）に示すように、例えば「設定した終了時刻までにムーブを終了できません。設定を変更してください。」という警告を表示し、録画予約を諦めて終了する（ステップＳ２１２）。
【００１３】
【特許文献１】特開２００５−４４４２３号公報
【発明の開示】
【発明が解決しようとする課題】
【００１４】
このように、予約録画しようとする記録媒体の容量不足状態での予約録画設定時において、ユーザに対する予約録画とムーブ予約とが連動する一連の動作が従来は考慮されていないために、図１６のステップＳ１０１〜ステップＳ１０４の処理におけるユーザによる操作や、図１７のステップＳ２０１〜ステップ２０８の処理におけるユーザによる操作が非常に煩雑であり、また図１７の場合はステップＳ２０７でユーザ自身が計算をしなければならず、確実に録画予約をすることは極めて困難である。
【００１５】
また、従来は容量不足状態での録画予約とムーブ予約の連動設定時において、ムーブするコンテンツ（１つ、又は複数）がそのままの画質（ビットレート）では記録媒体（例えば、ＤＶＤ）に入りきらない場合が考慮されていない。すなわち、例えば図１７のステップＳ２０７で目標としている容量分のコンテンツを選択したかどうかの判断は、通常はＨＤに録画されているコンテンツ（番組）と同一のビットレートで別の記録媒体（例えばＤＶＤ）へダビングする場合（所謂、高速ダビング）を想定している。
【００１６】
しかしながら、ＨＤに録画されているコンテンツ（番組）を録画時より低いビットレートで別の記録媒体（例えばＤＶＤ）へダビングする再エンコードダビングを行えば、より多くのコンテンツ（番組）をダビングすることができ、また、そのままのビットレートではダビングしようとする別の記録媒体（例えばＤＶＤ）の容量が足りないために、ムーブ予約ができないコンテンツ（番組）のダビングが可能となるため、ステップＳ２０７で目標としている容量分の確保が容易となる。
【００１７】
そのため、図１８に示すように、従来例をもとにした新規録画予約設定時のユーザ操作では、ムーブ予約設定時に、そのままではダビングしようとする別の記録媒体（ここではＤＶＤとして説明する）に入りきらないため、ムーブ予約が設定できないコンテンツかどうか判断し（ステップＳ１１１）、ムーブ予約が設定できる場合（ステップＳ１１１でＹ）は、表示されている目標値が０分になったかどうかを監視して（ステップＳ１１２）、ムーブ予約を完了できるが、ムーブ予約が設定できない場合（ステップＳ１１１でＮ）は、ユーザが自ら再エンコードダビングを開始し（ステップＳ１１３）、ダビング終了後にダビングしたコンテンツを消去し（ステップＳ１１４）、更にコンテンツ消去後のＨＤに録画予約用容量が確保されたかどうか判定する（ステップＳ１１５）必要がある。
【００１８】
録画予約用容量が確保されれば、録画予約の設定が完了する（ステップＳ１１６）が、録画予約用容量が確保されていない場合は、録画予約用容量が確保されるまで、ステップＳ１１３とＳ１１４の処理を繰り返さなければならず、またダビングするＤＶＤを入れ替える作業も必要であるため、ユーザに多くの手間を与えて時間の浪費を生じさせてしまう。なお、図１８中、図１６と同一処理ステップには同一符号を付し、その説明を省略する。
【００１９】
本発明は以上の点に鑑みなされたもので、録画予約設定時に録画しようとする記録媒体の容量が不足していた場合の、ムーブ予約を含む録画予約が簡単なユーザ操作で確実に行える予約録画装置を提供することを目的とする。
【００２０】
また、本発明の他の目的は、ムーブ予約を含む録画予約時に、ダビングする記録媒体の容量以上のコンテンツを簡単なユーザ操作で確実にムーブし得る予約録画装置を提供することにある。
【課題を解決するための手段】
【００２１】
上記の目的を達成するため、第１の発明は、テレビ放送信号を受信する受信手段と、受信手段により受信したテレビ放送信号を指定したビットレートの符号化信号に変換して第１の記録媒体に記録する記録手段と、第１の記録媒体に記録された符号化信号を再生して第２の記録媒体に複写記録するダビング手段と、将来放送され、かつ、受信手段により受信される任意のコンテンツのテレビ放送信号の第１の記録媒体への録画を予約し、その予約情報を記憶する録画予約設定手段と、予約情報に基づき、録画予約された任意のコンテンツのテレビ放送信号の放送時間、受信手段によりテレビ放送信号を選局受信させるタイマ手段とを備えた予約録画装置において、録画予約設定手段による録画予約設定時に、録画予約した任意のコンテンツのテレビ放送信号の記録に要する容量分の空き容量が第１の記録媒体に存在するかを判定すると共に、第２の記録媒体の空き容量を測定する容量判定・測定手段と、容量判定・測定手段により第１の記録媒体の空き容量が存在しない容量不足と判定したときは、第１の記録媒体に記録されている記録済みの任意のコンテンツの符号化信号を復号した後、その復号信号を第２の記録媒体の空き容量内で記録できるビットレートで再度符号化して再符号化信号を生成する再エンコード手段と、再符号化信号又は第１の記録媒体から再生した任意のコンテンツの符号化信号をダビング手段により第２の記録媒体に複写記録すると共に、第２の記録媒体に複写記録された任意のコンテンツの符号化信号を第１の記録媒体から削除する記録及び削除手段と、録画予約設定手段により設定された録画予約の実行前に、再エンコード手段及び記録及び削除手段による動作を実行するムーブ予約を、録画予約設定手段による録画予約の設定と同時に関連付けて設定する予約設定手段と、録画予約した任意のコンテンツのテレビ放送信号を第１の記録媒体に記録するために必要な容量に対応する時間と、ムーブ予約で選択した第１の記録媒体に記録済みの任意のコンテンツのテレビ放送信号の容量に対応した時間との差を目標値として算出し、その目標値を容量判定・測定手段により第１の記録媒体に空き容量が存在しない容量不足と判定した時の判定結果と共に表示する目標値算出及び表示手段とを有することを特徴とする。
【００２２】
この発明では、録画予約設定手段により設定された録画予約の実行前に、再エンコード手段及び記録及び削除手段による動作を実行するムーブ予約を、録画予約設定手段による録画予約の設定と同時に関連付けて設定するようにしたため、ユーザが録画予約設定時に、録画予約した任意のコンテンツのテレビ放送信号の記録に要する容量分の空き容量が第１の記録媒体に存在しない容量不足の時には、第１の記録媒体に記録されているコンテンツの中からムーブ予約するコンテンツを選択する動作を、目標値が０となるまで繰り返すだけで、録画予約開始前のムーブ実行時にはムーブ予約したコンテンツが第２の記録媒体にダビングされると共に第１の記録媒体から削除されるので、ユーザが録画予約した任意のコンテンツのテレビ放送信号の記録に要する容量と第１の記録媒体に記録されているムーブ予約するコンテンツの容量との差を計算することなく、ユーザが録画予約した任意のコンテンツのテレビ放送信号の記録に要する容量を第１の記録媒体に確保することができる。
【００２３】
また、上記の目的を達成するため、第２の発明は、テレビ放送信号を受信する受信手段と、受信手段により受信したテレビ放送信号を指定したビットレートの符号化信号に変換して第１の記録媒体に記録する記録手段と、第１の記録媒体に記録された符号化信号を再生して第２の記録媒体に複写記録する第１のダビング手段と、将来放送され、かつ、受信手段により受信される任意のコンテンツのテレビ放送信号の第１の記録媒体への録画を予約し、その予約情報を記憶する録画予約設定手段と、予約情報に基づき、録画予約された任意のコンテンツのテレビ放送信号の放送時間、受信手段によりテレビ放送信号を選局受信させるタイマ手段とを備えた予約録画装置において、録画予約設定手段による録画予約設定時に、録画予約した任意のコンテンツのテレビ放送信号の記録に要する容量分の空き容量が第１の記録媒体に存在するかを判定すると共に、第２の記録媒体の空き容量を測定する容量判定・測定手段と、容量判定・測定手段により第１の記録媒体に録画予約した任意のコンテンツのテレビ放送信号の記録に要する容量分の空き容量が存在しない容量不足と判定したときは、第１の記録媒体に記録されている記録済みの任意のコンテンツの符号化信号を復号した後、その復号信号を第１の記録媒体の記録時よりも低ビットレートで再度符号化して再符号化信号を生成する再エンコード手段と、再符号化信号を第１の記録媒体に上書きで複写記録する第２のダビング手段と、録画予約設定手段により設定された録画予約の実行前に、再エンコード手段及び第２のダビング手段による動作を実行するムーブ予約を、録画予約設定手段による録画予約の設定と同時に関連付けて設定する予約設定手段と、録画予約した任意のコンテンツのテレビ放送信号を第１の記録媒体に記録するために必要な容量に対応する第１の時間と、ムーブ予約で選択した第１の記録媒体に記録済みの任意のコンテンツの記録容量と再符号化信号の記録容量との差に対応した第２の時間との差を目標値として算出し、その目標値を容量判定・測定手段により第１の記録媒体に空き容量が存在しない容量不足と判定した時の判定結果と共に表示する目標値算出及び表示手段とを有することを特徴とする。
【００２４】
この発明では、録画予約設定手段により設定された録画予約の実行前に、再エンコード手段及び第２のダビング手段による動作を実行するムーブ予約を、録画予約設定手段による録画予約の設定と同時に関連付けて設定するようにしたため、ユーザが録画予約設定時に、録画予約した任意のコンテンツのテレビ放送信号の記録に要する容量分の空き容量が第１の記録媒体に存在しない容量不足の時には、第１の記録媒体に記録されているコンテンツの中からムーブ予約するコンテンツを選択する動作を、目標値が０となるまで繰り返すだけで、録画予約開始前のムーブ実行時にはムーブ予約したコンテンツが第１の記録媒体に低ビットレートの再符号化信号としてダビングされるので、ユーザが録画予約した任意のコンテンツのテレビ放送信号の記録に要する容量と第１の記録媒体に記録されているムーブ予約するコンテンツの容量との差を計算することなく、ユーザが録画予約した任意のコンテンツのテレビ放送信号の記録に要する容量を第１の記録媒体に確保することができる。
【発明の効果】
【００２５】
本発明によれば、録画予約した任意のコンテンツのテレビ放送信号の記録（録画）に要する容量分の空き容量が第１の記録媒体に存在しない容量不足の時には、ユーザが録画予約した任意のコンテンツのテレビ放送信号の記録（録画）に要する容量と第１の記録媒体に記録されているムーブ予約するコンテンツの容量との差を計算することなく、録画予約の設定と同時に第１の記録媒体に記録されている記録済みの任意のコンテンツを指定するだけで第１の記録媒体に録画予約のために必要な空き容量を確保することができるため、従来に比べて簡単なユーザ操作でムーブ予約して、予約録画を確実に行うことができる。
【発明を実施するための最良の形態】
【００２６】
次に、本発明の実施の形態について図面と共に説明する。
【００２７】
（第１の実施の形態）
図１は本発明になる予約録画装置の第１の実施の形態のブロック図を示す。本実施の形態の予約録画装置は、ハードディスク装置（以下ＨＤＤ）にテレビ放送番組を記録するＨＤＤ／ＤＶＤレコーダであり、テレビ放送信号を受信する放送受信部１１と、テレビ放送信号等の映像信号及び音声信号（以下、映像・音声信号とも記す）を処理する信号処理部１２と、装置全体を統括的に制御する中央処理装置（ＣＰＵ）１３と、信号処理部１２により処理された所望のテレビ放送番組の映像・音声信号を記録再生するハードディスク装置（ＨＤＤ）１４及びＤＶＤ装置１５と、予約情報１６１を記憶するメモリ１６と、各種の情報を表示する表示部１７と、予約実行のためのタイマ１８と、信号処理部１２により処理された映像・音声信号を外部へ出力する映像音声出力部１９と、ユーザにより操作されて所望の情報が入力されるユーザ操作部２１とから構成される。
【００２８】
信号処理部１２は、放送受信部１１で選局受信された所望のテレビ放送番組のテレビ放送信号（映像・音声信号）を、例えば公知のＭＰＥＧ（Moving Picture Experts Group）等の所定の符号化形式で圧縮符号化して指定されたビットレートの符号化信号を生成し、それをＣＰＵ１３の制御の下に出力してハードディスク装置１４やＤＶＤ装置１５に記録させるエンコーダ１２１と、ハードディスク装置１４やＤＶＤ装置１５から再生されて入力された符号化信号を復号化して元の映像・音声信号に復元した後、ＣＰＵ１３の制御の下に映像音声出力部１９へ出力したり、表示部１７へ出力するデコーダ１３２とを有する。なお、ハードディスク装置１４は記録媒体であるＨＤ（ハードディスク）に情報信号を記録再生する記録再生装置を意味するものとし、ＤＶＤ装置１５は光ディスクであるＤＶＤに情報信号を記録再生する光ディスク装置を意味するものとする。また、ＤＶＤ装置１５により記録再生されるＤＶＤは交換可能とされている。
【００２９】
次に、本実施の形態の動作について図２〜図６を併せ参照して説明する。図２は図１の動作説明用フローチャート、図３は新規録画予約の画面表示例、図４及び図５はムーブ選択リストの各例、図６はムーブ予約後の録画予約一覧の画面表示例を示す。
【００３０】
まず、本実施の形態の録画予約装置では、ユーザがユーザ操作部２１を操作して新規録画予約設定を行うと（図２のステップＳ３０１）、ＣＰＵ１３は例えば、図３（ａ）に示すような録画予約設定画面を表示部１７に表示する。この録画予約設定画面は、新規録画予約であることを示す文字「新規」、日付、録画対象のテレビ放送チャンネル、録画するテレビ放送番組の放送時刻、録画先の記録媒体（ここではハードディスク装置１４により記録再生されるＨＤ）、録画信号の画質（ここでは、標準画質を示すＳＰ）からなり、録画先の記録媒体に録画しようとするテレビ放送番組を指定された画質で記録（録画）できる容量分の空き容量が存在する場合は、録画予約設定画面中の「実行可能」の欄は図３（ａ）に示すように空欄となっている。従って、この場合は、容量が足りないとの警告表示がされないので（図２のステップＳ３０２のＮ）、予約録画に必要な空き容量がＨＤに存在する場合には予約を完了する（図２のステップＳ３１０）。
【００３１】
しかし、録画先のハードディスク装置１４のＨＤに録画しようとするテレビ放送番組を指定された画質で記録（録画）できる容量分の空き容量が存在しないとＣＰＵ１３が判断した場合は、ＣＰＵ１３によって、例えば図３（ｂ）に示すように、録画予約設定画面中の「実行可能」の欄にｘ印が表示されると共に、「ＨＤＤ容量が足りないため予約録画を実行できません」との表示３１が表示部１７にて行われる。なお、図３（ｂ）の表示情報に加えて、図３（ｃ）に３２で示すように、更に予約録画したコンテンツのテレビ放送信号をＨＤに記録するために足りないＨＤの容量に対応した時間を表示するようにしてもよい。
【００３２】
上記のように、録画先のハードディスク装置１４のＨＤに、録画しようとするテレビ放送番組を指定された画質で記録（録画）できる容量分の空き容量が存在しないと表示したときは（図２のステップＳ３０２のＹ）、ＣＰＵ１３は予約録画開始時刻までに他の録画予約が無い時間を算出し、その時間内にＨＤに録画済みのコンテンツをＤＶＤ装置１５によりＤＶＤに複写記録（ダビング）すれば、ダビングしたコンテンツの容量分だけハードディスク装置１４で記録再生するＨＤに空き容量ができるので、その空き容量によって予約録画を実行できると判断した場合は、図３（ｄ）に示すように、ムーブ予約を選択できるメッセージ３３を表示部１７に表示してユーザに告知する。
【００３３】
ユーザは表示されたメッセージ３３内の選択肢からムーブ予約を選択すると（図２のステップＳ３０３）、図４（ａ）のムーブ予約設定画面を表示する（図２のステップＳ３０４）。図４（ａ）に示すムーブ予約設定画面は、予約録画先のＨＤ（ハードディスク）に既に記録されている番組のタイトル、記録時間、記録画質などが一覧表示されたムーブ選択リストと、そのムーブ選択リストの左上の位置に予約録画を実行するための目標値５２と、ムーブに要する時間５３とが表示された画面である。
【００３４】
上記の目標値５２は、録画予約した任意のコンテンツのテレビ放送信号をＨＤに記録するために必要なＨＤの空き容量に対応する時間と、ムーブ予約で選択したＨＤに記録済みの任意のコンテンツのテレビ放送信号の容量に対応した時間との差を示し（現時点での空き容量ではない）、ムーブするコンテンツを選択・設定する度に値が減っていき、０分になると、録画予約した任意のコンテンツのテレビ放送信号をＨＤに記録するために必要な容量がＨＤに確保されたことになる。
【００３５】
また、上記のムーブに要する時間５３は、コンテンツを選択・設定する度に値が増えていく。また、ムーブ選択リストにおいてムーブ予約を選択したコンテンツの欄５１はタイトル等が濃い色になっており、設定に係らず予約録画開始までにムーブが終わらない、またはサイズがＤＶＤ装置１５で記録再生するＤＶＤの容量以上の場合は選択できないようになっている。選択しようとすると、「そのコンテンツはいかなる設定でも予約録画開始までにムーブが終了しません。」というメッセージか、「ＤＶＤに入りきりません。」というメッセージが表示される。濃い色表示は他のコンテンツを選択するたびに更新する。
【００３６】
また、録画予約開始時刻までの空き時間の都合により画質変換をしない高速なムーブは設定可能だが、画質変換を要する等速なムーブが設定できない場合は、コンテンツを選択したときに「コンテンツは同画質（高速ムーブ）のみ設定可能です。」というメッセージが表示され、ユーザは画質の変更を設定できない（図２のステップＳ３０５）。
【００３７】
ユーザがユーザ操作部２０を操作して、ムーブするコンテンツを選択すると（図２のステップＳ３０６）、ムーブ予約設定画面に表示されている目標値が選択したコンテンツの記録容量分の時間だけ減るので、それが０分になったかどうか判定する（図２のステップＳ３０７）。前述したように、目標値が０分になると録画予約した任意のコンテンツのテレビ放送信号をＨＤの空き容量に記録可能となるためである。
【００３８】
例えば、図４（ａ）に示すムーブ予約設定画面のムーブ選択リストでは、目標値が５２で示すように、録画予約した任意のコンテンツのテレビ放送信号を記録するために必要なＨＤの空き容量を時間換算すると「画質ＳＰで９０分」を示しているので、そのムーブ選択リストにあるＮｏ.３の「サッカーＪ」の番組を、記録時の画質ＳＰよりもビットレートの低い画質ＬＰのエンコードありでムーブするコンテンツとして選択したものとすると、ムーブ予約設定画面は図４（ｂ）に示すように変化する。
【００３９】
すなわち、ムーブをすれば再生時間５０分のＳＰ画質のコンテンツ（「サッカーＪ」の番組）がハードディスク装置１４によりＨＤから削除されるので、目標値は図４（ｂ）に５５で示すように、５０分減ってＳＰ画質で４０分となり、ムーブにかかる時間は５６で示すように、再エンコードダビングである等速ムーブのため再生時間と同じ５０分になる。また、図４（ｂ）に５４で示すように、ムーブするコンテンツとして選択したＮｏ.３の「サッカーＪ」の欄にはムーブ画質がＬＰで、エンコードありで、記録先がＤＶＤで、実行順が１であることが表示される。
【００４０】
この時点では、録画予約したコンテンツはＨＤに全て記録できず、まだ表示されている目標値が０分に達していないため（図２のステップＳ３０７でＮ）、再び図２のステップＳ３０５及びステップＳ３０６のコンテンツ選択を続ける。次に、図４（ｂ）に示すムーブ予約設定画面のムーブ選択リストにあるＮｏ.６の「ドラマＢ」の番組を、記録時の画質ＳＰと同一の画質ＳＰでムーブするコンテンツとして選択したものとすると、ムーブ予約設定画面は図４（ｃ）に示すように変化する。
【００４１】
すなわち、ムーブをすれば再生時間４０分のＳＰ画質のコンテンツ（「ドラマＢ」の番組）がハードディスク装置１４によりＨＤから削除されるので、図４（ｃ）に５８で示すように目標値は４０分減って０分となり、また、ムーブにかかる時間は５９で示すように、記録時の画質ＳＰと同一の画質ＳＰでエンコードを行わずにムーブする高速ムーブのため、再生時間４０分の１／４倍の１０分であり、先のムーブにかかる時間５０分を含めて計６０分になる。また、図４（ｃ）に５７で示すように、ムーブするコンテンツとして選択したＮｏ.６の「ドラマＢ」の欄にはムーブ画質がＳＰで、エンコードなしで、記録先がＤＶＤで、実行順が２であることが表示される。
【００４２】
この時点で目標値が０分になり、予約録画実行時までにムーブすれば録画予約したコンテンツの記録に必要なＨＤの空き容量が確保されることが分かる。目標値が０分になると（図２のステップＳ３０７でＹ）、ムーブ一覧の確認が行われる（図２のステップＳ３０８）。このステップＳ３０８のムーブ一覧の確認では、表示部１７に図５（ａ）に示すように、「予約録画のための目標値に達しました。選択を終了しますか。」という選択終了確認のメッセージ６１が表示される。
【００４３】
「はい」を選択した場合は、更に図５（ｂ）に示すように、「この内容でよろしいですか」というムーブ予約終了の確認のメッセージ６２が表示され、訂正があるかどうかを問い合わせる（図２のステップＳ３０９）。訂正がなければ、「はい」を選択することで、ムーブ予約を完了する（図２のステップＳ３１０）。訂正がある場合は、「いいえ」を選択することで、ステップＳ３０５〜Ｓ３０８により更にコンテンツの選択を続ける。
【００４４】
また、他の予約録画の間に実行するため、その実行順では予約が成立しない場合には、「他の録画予約が存在するためにその実行順ではムーブできません。」とのメッセージが表示され、実行可能な順序に手動、および自動に並び替えることができる。
【００４５】
ムーブ予約完了後は、例えば図６に示すような通常予約とムーブ予約とを混合した予約一覧を表示部１７の画面に表示し（図２のステップＳ３１１）、実行時間を確認させる。その後、各予約実行動作を行い（図２のステップＳ３１２）、録画予約を終了する（図２のステップＳ３１３）。なお、図１のハードディスク装置１４とＤＶＤ装置１５への記録、消去、あるいはハードディスク装置１４とＤＶＤ装置１５からの再生は従来知られた方法により実行される。
【００４６】
このようにして、本実施の形態によれば、録画予約設定時に録画予約する記録媒体であるハードディスク（ＨＤ）に空き容量が不足していた場合、ＨＤに録画済みのコンテンツの中から任意のコンテンツを別の記録媒体であるＤＶＤへダビングすると共に、その録画済みのコンテンツをハードディスク装置１４によりＨＤから削除するムーブを録画予約時間以前の時間で行うムーブ予約を、ユーザがムーブ選択リストに表示されている目標値が０分となるように、ムーブ選択リストに表示されているＨＤに記録済みのコンテンツの中から任意にコンテンツを選択することで、ＨＤに録画予約に必要な空き容量を確保できるため、録画予約と共に簡単なユーザ操作で確実にムーブ予約を行うことができる。
【００４７】
（第２の実施の形態）
図７は本発明になる予約録画装置の第２の実施の形態のブロック図を示す。同図中、図１と同一構成部分には同一符号を付してある。本実施の形態の予約録画装置は、ハードディスク装置（ＨＤＤ）にテレビ放送番組を記録するＨＤＤ／ＤＶＤレコーダであり、テレビ放送を受信する放送受信部１１と、映像・音声信号を処理する信号処理部１２と、信号処理部１２により処理された所望のテレビ放送番組の映像・音声信号を記録再生するハードディスク装置１４及びＤＶＤ装置１５と、各種の情報を表示する表示部１７と、信号処理部１２により処理された映像・音声信号を外部へ出力する映像音声出力部１９と、システム制御部７０と、ユーザにより操作されて所望の情報を入力するための赤外線リモコン８１と、切り替え部ＳＷ１、ＳＷ２及びＳＷ３とから構成される。
【００４８】
システム制御部７０は、装置全体を統括的に制御する中央処理装置（ＣＰＵ）７１と、予約情報７２１を記憶する不揮発性メモリ７２と、予約実行のためのタイマ７３と、赤外線リモコン受光部７４とから構成される。切り替え部ＳＷ１は放送受信部１１からの受信テレビ放送の映像・音声信号及びデコーダ１２２の出力映像・音声信号の一方を選択してエンコーダ１２１に供給する。切り替え部ＳＷ２は、エンコーダ１２１から出力される符号化信号をハードディスク装置１４及びＤＶＤ装置１５の一方に供給するための切り替えを行う。切り替え部ＳＷ３はハードディスク装置１４及びＤＶＤ装置１５の各再生符号化信号の一方を選択してデコーダ１２２に供給する。切り替え部ＳＷ１、ＳＷ２及びＳＷ３の切り替え制御は、ＣＰＵ７１により行われる。
【００４９】
次に、本実施の形態のＨＤからＤＶＤへのムーブ予約、及び録画予約におけるユーザ操作について図３、図８〜図１１等を併せ参照して説明する。図８は動作説明用フローチャート、図９はムーブ予約前の録画予約一覧の画面表示例、図１０はムーブ予約設定画面例を示す図、図１１はムーブ予約後の録画予約一覧の画面表示例を示す図である。なお、ここで行う再エンコードダビングは等速で処理するため、コンテンツをダビングするのに通常再生時間（記録時間）と同じ時間かかるとする。また、図７の予約録画装置には既に図９の録画予約が設定されているものとする。
【００５０】
いま、ユーザが図７の表示部１７の画面に表示された画像を見ながら赤外線リモコン８１によって、前述した図３（ａ）の新規録画予約設定を行うと（図８のステップＳ４０１）、赤外線リモコン８１から出力された赤外線による新規録画予約設定情報は、赤外線リモコン受光部７４で受光されて電気信号に変換された後、ＣＰＵ７１に供給される。これにより、ＣＰＵ７１は設定されている図９の録画予約に必要なハードディスク装置１４が記録再生するＨＤの空き容量を計算し、録画予約に必要な空き容量が存在する場合には、容量不足の警告を表示部１７に表示せず（図８のステップＳ４０２でＮ）、予約を完了する。
【００５１】
しかし、録画先のハードディスク装置１４のＨＤに予約録画しようとするテレビ放送番組を指定された画質で記録（録画）できる容量分の空き容量が存在しないとＣＰＵ７１が判断した場合は、図３（ｂ）で「ＨＤＤ容量が足りないため予約録画を実行できません」というメッセージ３１を表示し（図８のステップＳ４０２でＹ）、このままでは予約録画が実行できないことをユーザに告知する。
【００５２】
上記のように、録画先の記録媒体のＨＤに録画しようとするテレビ放送番組を指定された画質で記録（録画）できる容量が存在しないと表示されたときは（図８のステップＳ４０２のＹ）、ＣＰＵ７１は予約録画開始時刻までに他の録画予約が無い時間を算出し、その時間内にＨＤに録画済みのコンテンツをＤＶＤ装置１５によりＤＶＤに複写記録（ダビング）すれば、ダビングしたコンテンツの容量分だけハードディスク装置１４で記録再生するＨＤに空き容量ができるので、その空き容量によって予約録画を実行できると判断した場合は、図３（ｄ）に示すように、ムーブ予約を選択できるメッセージ３３を表示部１７に表示してユーザに告知する。
【００５３】
ユーザは表示されたメッセージ３３内の選択肢からムーブ予約を選択すると（図８のステップＳ４０３）、図１０（ａ）のムーブ予約設定画面を表示する。ここで、図１０（ａ）に示すムーブ予約設定画面は、図４と同様に、予約録画先のＨＤに既に記録されている番組のタイトル、記録時間、記録画質などが一覧表示されたムーブ選択リストと、そのムーブ選択リストの左上の位置に予約録画を実行するために必要なＨＤの空き容量に対応した時間を示す目標値９２と、ムーブに要する時間９３とが表示された画面である。
【００５４】
上記の目標値９２は、前述した目標値５２と同じように、録画予約した任意のコンテンツのテレビ放送信号をＨＤに記録するために必要なＨＤの空き容量に対応する時間と、ムーブ予約で選択したＨＤに記録済みの任意のコンテンツのテレビ放送信号の容量に対応した時間との差を示し（現時点での空き容量ではない）、ここでは、録画予約した任意のコンテンツのテレビ放送信号を記録するために必要なＨＤの空き容量を時間換算すると「画質ＸＰで１３０分」を示している。
【００５５】
また、上記のムーブに要する時間９３は、コンテンツを選択・設定する度に値が増えていく。また、ムーブ選択リストにおいてムーブ予約を選択したコンテンツの欄９１はタイトル等が濃い色になっており、設定に係らず予約録画開始までにムーブが終わらない、またはサイズがＤＶＤ装置１５が記録再生するＤＶＤの容量以上の場合は選択できないようになっている。
【００５６】
いま、ユーザが赤外線リモコン８１を使用して図１０（ａ）のムーブ予約設定画面のＮｏ．３「サッカーＪ（画質ＸＰ）」をムーブ予約選択したものとすると、選択したコンテンツがそのままの画質でＤＶＤ装置１５によりＤＶＤにダビング（コピー）可能であるかどうか判定する（図８のステップＳ４０４）。ここでは、ＤＶＤが画質ＸＰで１００分のコンテンツを記録できる容量がないものとすると、再生時間１００分の「サッカーＪ」はそのままの画質ＸＰではＤＶＤにダビング（コピー）できないため、ＣＰＵ７１は「画質変換（再エンコード）をすればムーブ可能です。」と表示部１７に表示する（図８のステップＳ４０４でＮ）。
【００５７】
そこで、ユーザが赤外線リモコン８１を使用して、上記のコンテンツ「サッカーＪ」を、画質ＸＰよりも低ビットレートの画質ＳＰの再エンコードでムーブ予約を選択すると（図８のステップＳ４０５）、そのムーブ予約に基づく実際のムーブ実行時にはハードディスク装置１４によりＨＤから上記のコンテンツ「サッカーＪ」の符号化信号が再生され、図７の端子ａに接続されている切り替え部ＳＷ３を介してデコーダ１２２に供給されて復号され、得られた復号映像・音声信号は、更に端子ｂに接続されている切り替え部ＳＷ１を介してエンコーダ１２１に供給されて、今度は画質ＳＰのビットレートで圧縮符号化されて（再エンコードされて）再符号化信号とされる。
【００５８】
ムーブ実行時には、この再符号化信号は、端子ｂに接続されている切り替え部ＳＷ２を介してＤＶＤ装置１５に供給され、ＤＶＤにダビング記録される。このＤＶＤは画質ＸＰで再生時間１００分のコンテンツを記録できる空き容量が存在しないが、画質ＳＰで再生時間１００分のコンテンツ（「サッカーＪ」）は記録できる空き容量が存在するため、上記のダビング記録が可能である。このムーブに要する時間（ダビング記録時間）は、等速ムーブのためハードディスク装置１４の上記のコンテンツ「サッカーＪ」の再生時間と同じ１００分になる。
【００５９】
また、ハードディスク装置１４により上記のコンテンツ「サッカーＪ」の再生終了後に、ＨＤからそのコンテンツが消去されるので、目標値は上記のコンテンツ「サッカーＪ」の再生時間１００分と同じ１００分減って３０分となる。従って、ムーブ予約設定画面は図１０（ｂ）において、目標値は９５で、ムーブにかかる時間は９６でそれぞれ示すように変化し、また、ムーブ予約したコンテンツ９４の情報が変化する。
【００６０】
続いて、ＣＰＵ７１は目標値が０分になったかどうか判定し（図８のステップＳ４０６）、ここでは、まだ目標値が０分に到達していないため、コンテンツ選択を続け、ステップＳ４０４で再び次にムーブ予約したいコンテンツを選択させる。
【００６１】
次に、ムーブ予約設定画面のＮｏ．６「ドラマＢ」をムーブ予約したいコンテンツとして選択したものとする。図１０（ｂ）に示すように、このコンテンツだけなら画質ＸＰで記録時間３０分であるのでＤＶＤに収まる容量であるが、既に他のコンテンツ「サッカーＪ」のムーブ予約を設定しており、その分の容量が必要であるため、画質を記録時より低画質に変換しないとＤＶＤに入りきらないので、そのままではＤＶＤにコピーできないと判定され（図８のステップＳ４０４でＮ）、再エンコードムーブを設定する（図８のステップＳ４０５）。
【００６２】
ここでは、再生時間３０分のコンテンツ「ドラマＢ」をその記録画質ＸＰよりも低ビットレートの長時間モードの画質ＬＰでの等速ムーブを設定したものとすると、ＸＰ画質のコンテンツ３０分が削除されるので、図１０（ｃ）に示すように目標値９８は０分になり、ＨＤに録画予約したコンテンツを録画するのに必要な空き容量が確保され、かつ、ＤＶＤにもコンテンツ「ドラマＢ」をダビング記録（ムーブ）でき、ムーブにかかる時間は先の１００分に今回の３０分を加算した合計の１３０分と表示され、更にドラマＢの欄９７にはムーブ予約した情報が表示される。これにより、予約録画実行時までにムーブすれば録画予約したコンテンツの記録容量がＨＤに確保されることが分かる。
【００６３】
そして、ステップＳ４０６で目標値が０分になったと判定されるので、この後さらに図１０（ｄ）に示すようにコンテンツの選択を終了するかどうかを問い合わせるメッセージ１００を表示部１７に表示させ、「はい」を選択した場合は、図１０（ｅ）に示すメッセージ１０１の「この内容でよろしいですか？」が表示され、正しければ「はい」を選択してムーブ予約を終了する（図８のステップＳ４０７）。
【００６４】
「いいえ」の場合はさらにコンテンツの選択を続ける。また他の予約録画の間に実行するため、その実行順では予約が成立しない場合には、例えば「他の録画予約が存在するためにその実行順ではムーブできません。」というメッセージを表示し、実行可能な順序に手動、および自動に並び替えることができる。ムーブ予約完了後は図１１へ画面が遷移し、他の録画予約と混在した録画予約一覧に表示され、実行時間を確認して終了して不揮発性メモリ７２内に予約情報７２１として記憶される。
【００６５】
その後、タイマ７３によって設定した時刻になると（図８のステップＳ４０８）、各予約実行動作を行い（図８のステップＳ４０９〜Ｓ４１１）、終了する。なお、予約録画時は、予約時間がくると、放送受信部１１で録画予約されているチャンネルを選局して得られた映像・音声信号が端子ａに接続されている切り替え部ＳＷ１を介してエンコード１２１に供給されて所定の符号化方式により、かつ、指定された画質のビットレートで圧縮符号化されて符号化信号に変換され、切り替え部ＳＷ２を介してハードディスク装置１４又はＤＶＤ装置１５により周知の方法でＨＤ又はＤＶＤに記録される。なお、図７のハードディスク装置１４とＤＶＤ装置１５への記録、消去、あるいはハードディスク装置１４とＤＶＤ装置１５からの再生は従来知られた方法により実行される。
【００６６】
このようにして、本実施の形態によれば、録画予約設定時に録画予約する記録媒体であるＨＤ（ハードディスク）に空き容量が不足していた場合、ＨＤに録画済のコンテンツの中から任意のコンテンツを別の記録媒体であるＤＶＤへダビングする際、ＨＤに記録している画質と同じ画質ではＤＶＤの空き容量で記録できない場合は、再エンコードムーブを設定して低ビットレートの画質でＤＶＤに記録するようにしたため、ＤＶＤへ確実にダビングでき、また、ムーブした録画済のコンテンツをハードディスク装置１４によりＨＤから削除することで、録画予約時間以外の時間で行うムーブ予約を、録画予約と共に簡単なユーザ操作で確実に行うことができる。
【００６７】
なお今後の発展として以下のことが考えられる。
【００６８】
（１）ムーブ予約の実行が予約録画の実行と重複しても録画を可能とするシステム（例：ＨＤ→ＤＶＤへムーブ中（再エンコード・ダイレクト含む）にＨＤで予約録画など）。
【００６９】
（２）予約録画先のＨＤの空き容量が充分になく、かつ、ＤＶＤへのムーブを同時刻に行わないとならない場合に、コンテンツのダビングした部分を順次削除していく順次消去ムーブを行うことにより（例：１分毎など）、ムーブしながら空き容量を作り出してその空いた領域へ予約録画が可能になる。
【００７０】
（第３の実施の形態）
図１２は本発明になる予約録画装置の第３の実施の形態のブロック図を示す。同図中、図７と同一構成部分には同一符号を付し、その説明を省略する。本実施の形態の予約録画装置は、ハードディスク装置（ＨＤＤ）１４にテレビ放送番組を記録するＨＤＤ／ＤＶＤレコーダであり、図７の第２の実施の形態とは、図７の切り替え部ＳＷ２及びＳＷ３の替わりに切り替え部ＳＷ４及びＳＷ５が設けられている点が異なる。すなわち、本実施の形態の切り替え部ＳＷ４及びＳＷ５は、図７の切り替え部ＳＷ２及びＳＷ３とはスイッチの向きが異なっており、同一のハードディスク装置１４を第２の記憶装置として扱っている。つまり、ムーブ予約によりムーブする記憶装置としてハードディスク装置１４を用いる。
【００７１】
次に、本実施の形態の動作について、図１３のフローチャート等と共に説明する。図１３中、図８と同一処理ステップには同一符号を付し、その説明を省略する。ユーザがムーブ予約を選択すると、ムーブ予約設定画面が表示される（図１３のステップＳ４０３）。このムーブ予約設定画面は図１４（ａ）に示すように、図４、図１０（ａ）と同様に、予約録画先のＨＤに既に記録されている番組のタイトル、記録時間、記録画質などが一覧表示されたムーブ選択リストと、そのムーブ選択リストの左上の位置に予約録画を実行するために必要なＨＤの空き容量に対応した時間を示す目標値と、ムーブに要する時間とが表示された画面である。
【００７２】
いま、ユーザが図１２の赤外線リモコン８１を使用して図１４（ａ）のムーブ予約設定画面のＮｏ．３「映画（最高画質ＸＰ）」をムーブ予約選択したものとすると、このコンテンツは最高画質ＸＰで再生時間が６００分と大容量であり、長時間モードの画質ＬＰに変換しても１枚のＤＶＤに記録できないが、ＤＶＤに比べてはるかに大容量のＨＤにはＨＤＤ装置１４により記録可能であるので、ＣＰＵ７１は「ＨＤＤへ画質変換（再エンコード）をすればムーブ可能です。」と表示部１７に表示する。そこで、ユーザはその表示に従い、赤外線リモコン８１を操作して再エンコードムーブを設定する（図１３のステップＳ５０１）。
【００７３】
上記のステップＳ５０１で画質「ＬＰ」の「再エンコードムーブ」を選択したものとすると、そのムーブ実行時には、図１２のハードディスク装置１４によりＨＤから読み出されたＸＰ画質の再生時間６００分の上記コンテンツ「映画」の符号化信号が、端子ａに接続されている切り替え部ＳＷ５を介してデコーダ１２２に供給されて復号化され、得られた復号映像・音声信号が端子ｂに接続されている切り替え部ＳＷ１を介してエンコーダ１２１に供給され、ここで画質ＬＰに対応する低ビットレートで再度圧縮符号化される。このムーブ実行時にはエンコーダ１２１で圧縮符号化されて得られた画質ＬＰの再符号化信号は、端子ａに接続されている切り替え部ＳＷ４を介してハードディスク装置１４に供給され、ＨＤに上書き記録される。
【００７４】
この結果、ＸＰ画質の再生時間６００分の記録容量の上記コンテンツ「映画」が、低ビットレートの画質ＬＰにすると１／４に縮小されて、同じ再生時間６００分であるが１５０分（＝６００分／４）の記録容量でハードディスク装置１４によりＨＤに記録されるため、ＨＤの容量がＸＰで４５０分（＝６００分−（６００分／４））空くことになる。
【００７５】
ここで、図１４（ａ）に示した当初の目標値は、録画予約したコンテンツを指定した画質ＸＰで記録するために必要な記録容量を時間に換算した値を示しているが、この目標値は、ＨＤに記録済みのコンテンツの中からムーブ予約したコンテンツの記録容量と再符号化信号の記録容量との差を、画質ＸＰで記録する場合の時間に換算した値（上記の場合４５０分）だけ差し引いた値になるが、その値の最小値は０分である。従って、ムーブ予約設定画面は図１４（ｂ）に１１１で示すように、当初の目標値がＸＰで１３０分必要であった場合、目標値が０分となる。
【００７６】
また、予約録画実行時までにムーブすれば録画予約したコンテンツの記録に必要な容量がＨＤに確保されることが分かる。また、図１４（ｂ）に１１２で示すように、ムーブにかかる時間は画質ＸＰを画質ＬＰにムーブする等速ムーブのため、再生時間と同じ６００分になる。また、図１４（ｂ）に１１０で示すように、ムーブ予約したコンテンツ「映画」にはムーブ予約した情報が表示される。
【００７７】
上記の再エンコードムーブ予約が行われると、続いて、図１２のＣＰＵ７１は表示されている目標値が０分になったかどうか判定する（図１３のステップＳ５０２）。目標値が０分でないときには、再びステップＳ５０１に戻って再エンコードムーブの設定が行われるが、ここでは目標値が０分になったので、前述したステップＳ４０７のムーブ予約完了が行われる。
【００７８】
すなわち、図１４（ｃ）に１１３で示すコンテンツ選択を終了するかどうかを問い合わせるメッセージを表示した後、「はい」を選択した場合は図１４（ｄ）に１１４で示す「この内容でよろしいですか？」というメッセージを表示し、正しければ「はい」を選択してムーブ予約を終了する。「いいえ」の場合はさらにコンテンツの選択を続ける。また複数のコンテンツをムーブ予約した際は他の予約録画の間に実行するため、その実行順では予約が成立しない場合には「他の録画予約が存在するためにその実行順ではムーブできません。」とメッセージが表示され、実行可能な順序に手動、および自動に並び替えることができる。
【００７９】
ムーブ予約完了後は図１５へ画面が遷移し、他の予約録画と混在した録画予約一覧に表示され、実行時間を確認して終了して、図１２の不揮発性メモリ７２内に予約情報７２１として記憶される。以下、第２の実施の形態と同様に図１３のステップＳ４０８〜Ｓ４１１の動作が行われる。
【００８０】
このようにして、本実施の形態によれば、録画予約設定時に録画予約する記録媒体であるＨＤに空き容量が不足しているため、ＨＤに録画済みの複数のコンテンツの中から任意のコンテンツをＤＶＤにムーブしようとしてもＤＶＤの容量不足でＤＶＤにムーブできない場合、ＨＤに録画済みの複数のコンテンツの中から任意のコンテンツを、同じＨＤに再エンコードムーブを設定して低ビットレートの画質で再度記録するようにしたため、録画予約したコンテンツの録画に必要な容量をＨＤに確保することができ、録画予約時間以外の時間で行うムーブ予約を、録画予約と共に目標値を０分となるようにムーブ予約するコンテンツを選択するという簡単なユーザ操作で確実に行うことができる。
【００８１】
なお、上記の実施の形態では、ＨＤに録画済みの複数のコンテンツの中から任意のコンテンツをＤＶＤにムーブしようとしてもＤＶＤの容量不足でＤＶＤにムーブできない場合に限り、ＨＤに再エンコードムーブするようにしているが、ＤＶＤの容量に関係なく、常にＨＤに再エンコードムーブすることも可能である。
【００８２】
なお、今後の発展として以下のことが考えられる。
【００８３】
（１）ムーブ予約の実行が予約録画の実行と重複しても録画を可能とするシステム（例：ＨＤ→ＨＤムーブ中（再エンコード・ダイレクト含む）にＨＤ、またはＤＶＤで録画など）。
【００８４】
（２）ムーブ先のＨＤに空き容量が充分にない場合などに、ダビング中のコンテンツにおいてダビングした部分を順次削除していく順次消去ムーブを行うことにより（例：１分毎など）、ムーブしながら空き容量を作り出してその空いた領域へ再エンコードしたコンテンツを記録する。
【００８５】
なお、本発明は以上の実施の形態に限定されるものではなく、例えば、ＤＶＤの替わりに、装置に対して挿脱可能な他の可搬型記録媒体（マイクロハードディスク、メモリカードその他）を用いることも可能である。また、本発明はコンピュータを用いて、図１、図７、図１２の予約録画装置の各構成要素をソフトウェア的に実現させるコンピュータプログラムも包含するものである。
【図面の簡単な説明】
【００８６】
【図１】本発明の予約録画装置の第１の実施の形態のブロック図である。
【図２】図１の動作説明用フローチャートである。
【図３】図１の装置による新規録画予約時の画面表示例を示す図である。
【図４】図１の装置によるムーブ予約設定画面例（その１）を示す図である。
【図５】図１の装置によるムーブ予約設定画面例（その２）を示す図である。
【図６】図１の装置によるムーブ予約後の録画予約一覧の画面表示例を示す図である。
【図７】本発明の予約録画装置の第２の実施の形態のブロック図である。
【図８】図７の動作説明用フローチャートである。
【図９】図７の装置によるムーブ予約前の録画予約一覧の画面表示例を示す図である。
【図１０】図７の装置によるムーブ予約設定画面例を示す図である。
【図１１】図７の装置によるムーブ予約後の録画予約一覧の画面表示例を示す図である。
【図１２】本発明の予約録画装置の第３の実施の形態のブロック図である。
【図１３】図１２の動作説明用フローチャートである。
【図１４】図１２の装置によるムーブ予約設定画面例を示す図である。
【図１５】図１２の装置によるムーブ予約後の録画予約一覧の画面表示例を示す図である。
【図１６】従来の予約録画方法の一例を示すフローチャートである。
【図１７】従来の予約録画方法の他の例を示すフローチャートである。
【図１８】従来の予約録画方法の更に他の例を示すフローチャートである。
【図１９】従来の予約録画方法によるムーブ予約の画面表示例を示す図である。
【符号の説明】
【００８７】
１１  放送受信部
１２  信号処理部
１３、７１  中央処理装置（ＣＰＵ）
１４  ハードディスク装置（ＨＤＤ）
１５  ＤＶＤ装置
１６  メモリ
１７  表示部
１８、７３  タイマ
１９  映像音声出力部
２１  ユーザ操作部
７０  システム制御部
７２  不揮発性メモリ
７４  赤外線リモコン受光部
８１  赤外線リモコン
１３１  エンコーダ
１３２  デコーダ
１６１、７２１  予約情報
ＳＷ１〜ＳＷ６  切り替え部
【図１】
2007318267.tif 000003
【図２】
2007318267.tif 000004
【図３】
2007318267.tif 000005
【図４】
2007318267.tif 000006
【図５】
2007318267.tif 000007
【図６】
2007318267.tif 000008
【図７】
2007318267.tif 000009
【図８】
2007318267.tif 000010
【図９】
2007318267.tif 000011
【図１０】
2007318267.tif 000012
【図１１】
2007318267.tif 000013
【図１２】
2007318267.tif 000014
【図１３】
2007318267.tif 000015
【図１４】
2007318267.tif 000016
【図１５】
2007318267.tif 000017
【図１６】
2007318267.tif 000018
【図１７】
2007318267.tif 000019
【図１８】
2007318267.tif 000020
【図１９】
2007318267.tif 000021